(57)【要約】【課題】  搬送ローラの正逆転切換構造を複雑化することなく、長期に亘って、駆動回転部材を何れかの入力ギアに択一的に連動させる。【解決手段】  シートＢの搬送ローラ２とその駆動回転部材とを、搬送ローラを正逆転切換自在に連動してある画像形成用シート搬送機構で、搬送ローラに連動回転する正転用入力ギア３と、搬送ローラに連動回転する逆転用入力ギア４との間に、駆動回転部材に連動回転する駆動ギア５に噛み合って回転軸芯Ｘ方向に移動自在な可動ギア６を同芯状に支持し、正転用入力ギア側に移動させるとそれらのギアどうしが連動するように係合する正転用係合部１１と、逆転用入力ギア側に移動させるとそれらのギアどうしが連動するように係合する逆転用係合部１２と、可動ギアを回転軸芯方向に往復移動させるギア移動手段１３とを設けて、可動ギアを正転用入力ギアと逆転用入力ギアとに択一的に連動可能に設けてある。【選択図】        図１
2006036460.tif 000002
【特許請求の範囲】
【請求項１】
シートを搬送可能な搬送ローラと、前記搬送ローラを駆動回転させる駆動回転部材とを、前記搬送ローラの回転方向を正逆に切換自在に連動してある画像形成装置におけるシート搬送機構であって、
前記搬送ローラに連動して回転する正転用入力ギアと、前記搬送ローラに連動して回転する逆転用入力ギアとを間隔を隔てて同芯状に支持するとともに、
前記駆動回転部材に連動して回転する駆動ギアに噛み合った状態で回転軸芯方向に移動自在な可動ギアを、前記正転用入力ギアと前記逆転用入力ギアとの間に同芯状に支持し、
前記可動ギアを前記正転用入力ギア側に移動させるに伴って、それらのギアどうしが連動するように係合可能な正転用係合部と、前記可動ギアを前記逆転用入力ギア側に移動させるに伴って、それらのギアどうしが連動するように係合可能な逆転用係合部と、前記可動ギアを回転軸芯方向に往復移動させるギア移動手段とを設けて、前記可動ギアを前記正転用入力ギアと前記逆転用入力ギアとに択一的に連動可能に設けてある画像形成装置におけるシート搬送機構。
【発明の詳細な説明】
【技術分野】
【０００１】
本発明は、シートを搬送可能な搬送ローラと、前記搬送ローラを駆動回転させる駆動回転部材とを、前記搬送ローラの回転方向を正逆に切換自在に連動してある画像形成装置におけるシート搬送機構に関する。
【背景技術】
【０００２】
複写機やプリンタ，ファクシミリ等の画像形成装置には、画像印刷部を通過して一側面に画像を印刷した後のシートの表裏を反転させて、再度、同じ画像印刷部を通過させることによって、一枚のシートの表裏両面に画像を印刷できるように、画像印刷部を通過した後のシートの搬送方向を逆向きに切り換えて画像印刷部の上流側に搬送するいわゆるスイッチバック機能を備えたものがあり、上記シート搬送機構は、例えば、このようなスイッチバック機能を備えさせるために設けられている。
従来の画像形成装置におけるシート搬送機構では、搬送ローラと駆動回転部材とを、搬送ローラの回転方向を正逆に切換自在に連動させるために、搬送ローラに連動して回転する正転用入力ギアと、搬送ローラに連動して回転する逆転用入力ギアとを、互いに平行な各別の軸芯周りで回転自在に支持するとともに、正転用入力ギアと駆動回転部材との連動を入り切りする正転用クラッチと、逆転用入力ギアと駆動回転部材との連動を入り切りする逆転用クラッチとを各別に設けて、何れか一方の入力ギアが駆動回転部材に連動するように各クラッチを入り切りして正逆に切り換えるように構成したもの（第１従来技術）や、正転用入力ギアと逆転用入力ギアとのうちの何れか一方の入力ギアと駆動回転部材との連動を入り切りするクラッチと、他方の入力ギアと駆動回転部材とを摩擦連動するトルクリミッタとを設けて、クラッチを介して一方の入力ギアと駆動回転部材とを連動させているときは、他方の入力ギアと駆動回転部材とを連動しているトルクリミッタをスリップさせ、一方の入力ギアと駆動回転部材とのクラッチによる連動を解除したときは、他方の入力ギアと駆動回転部材とをトルクリミッタで連動させて正逆に切り換えるように構成したもの（第２従来技術）が提案されている（例えば、特許文献１参照）。
【０００３】
【特許文献１】特開平９−１２４２０７号公報
【発明の開示】
【発明が解決しようとする課題】
【０００４】
上記第１従来技術によれば、駆動回転部材が正転用入力ギア又は逆転用入力ギアに択一的に連動するように、二個のクラッチをタイミング良く入り切りする必要があり、搬送ローラの回転方向を正逆に切り換える為の切換構造が複雑化する欠点がある。
上記第２従来技術によれば、切換構造を特に複雑化することなく、駆動回転部材を何れかの入力ギアに択一的に連動させることができるが、入力ギアと駆動回転部材とを摩擦連動するトルクリミッタを設けているために、クラッチを介して一方の入力ギアと駆動回転部材とを連動させている間は、トルクリミッタにおける摩擦連動部位が常に擦れ合っており、その摩擦連動部位が早期に摩耗して耐久性を確保しにくい欠点がある。
本発明は上記実情に鑑みてなされたものであって、搬送ローラの回転方向を正逆に切り換える為の切換構造を特に複雑化することなく、長期に亘って、駆動回転部材を何れかの入力ギアに択一的に連動させることができるようにすることを目的とする。
【課題を解決するための手段】
【０００５】
本発明の第１特徴構成は、シートを搬送可能な搬送ローラと、前記搬送ローラを駆動回転させる駆動回転部材とを、前記搬送ローラの回転方向を正逆に切換自在に連動してある画像形成装置におけるシート搬送機構であって、前記搬送ローラに連動して回転する正転用入力ギアと、前記搬送ローラに連動して回転する逆転用入力ギアとを間隔を隔てて同芯状に支持するとともに、前記駆動回転部材に連動して回転する駆動ギアに噛み合った状態で回転軸芯方向に移動自在な可動ギアを、前記正転用入力ギアと前記逆転用入力ギアとの間に同芯状に支持し、前記可動ギアを前記正転用入力ギア側に移動させるに伴って、それらのギアどうしが連動するように係合可能な正転用係合部と、前記可動ギアを前記逆転用入力ギア側に移動させるに伴って、それらのギアどうしが連動するように係合可能な逆転用係合部と、前記可動ギアを回転軸芯方向に往復移動させるギア移動手段とを設けて、前記可動ギアを前記正転用入力ギアと前記逆転用入力ギアとに択一的に連動可能に設けてある点にある。
【０００６】
〔作用及び効果〕
正転用係合部が係合していて可動ギアと正転用入力ギアのギアどうしが連動し、搬送ローラが正転しているときに、可動ギアを逆転用入力ギア側に移動させると、正転用係合部の係合が解除されて逆転用係合部が係合して、可動ギアと逆転用入力ギアのギアどうしが連動し、逆転用入力ギアが、可動ギアと駆動ギアとを介して、駆動回転部材に連動して、搬送ローラが逆転する。
また、逆転用係合部が係合していて可動ギアと逆転用入力ギアのギアどうしが連動し、搬送ローラが逆転しているときに、可動ギアを正転用入力ギア側に移動させると、逆転用係合部の係合が解除されて正転用係合部が係合し、正転用入力ギアが、可動ギアと駆動ギアとを介して、駆動回転部材に連動して、搬送ローラが正転する。
従って、可動ギアをギア移動手段で正転用入力ギア側又は逆転用入力ギア側に移動させことにより、搬送ローラの回転方向を正逆に切り換える為の切換構造を特に複雑化することなく、長期に亘って、駆動回転部材を何れかの入力ギアに択一的に連動させることができる。
【発明を実施するための最良の形態】
【０００７】
以下に本発明の実施の形態を図面に基づいて説明する。
図１は、本発明による、例えば複写機やプリンタ，ファクシミリ等の画像形成装置におけるシート搬送機構を示し、シートＢをピンチローラ１との間に挟んで挟持搬送可能な搬送ローラ２と、その搬送ローラ２を駆動回転させる駆動回転部材（図外）とを、搬送ローラ２の回転方向を正逆に切換自在に連動する連動機構Ａを設けてある。
【０００８】
前記連動機構Ａは、搬送ローラ２に連動して回転する正転用入力ギア３と、搬送ローラ２に連動して回転する逆転用入力ギア４とを間隔を隔てて同芯状の回転軸芯Ｘ周りで遊転自在に支持するとともに、駆動回転部材に連動して回転する駆動ギア５を回転軸芯Ｘと平行な軸芯周りで回転自在に支持し、駆動ギア５に噛み合った状態で回転軸芯Ｘ方向に移動自在な可動ギア６を、正転用入力ギア３と逆転用入力ギア４との間に同芯状に遊転自在に支持して構成してある。
【０００９】
前記駆動回転部材は、シートＢを画像印刷部に送り込む給紙ローラや、画像を印刷した後のシートをトレイに送り出す排紙ローラなどを駆動するために一方向に回転する駆動回転軸やその駆動モータの回転軸などであり、駆動ギア５は、この駆動回転部材にチェーンやベルト，ギアなどで連動して一方向に回転するように設け、可動ギア６は駆動ギア５に常時噛み合って一方向に回転するように、固定支軸部材７に遊転自在に、かつ、駆動ギア５に噛み合った状態で回転軸芯Ｘ方向に往復移動自在に支持してある。
【００１０】
前記正転用入力ギア３は、搬送ローラ２の回転軸８に一体固定してある搬送ギア９に常時噛み合うように設けてあり、逆転用入力ギア４は、中間ギア１０を介して、搬送ギア９に常時噛み合うように設けて、可動ギア６を挟んで支軸部材７に間隔をへだてて同芯状に遊転自在に支持してある。
【００１１】
また、可動ギア６を駆動ギア５に噛み合わせた状態で正転用入力ギア３側に移動させるに伴って、それらのギア３，６どうしが連動するように係合可能な正転用係合部１１と、可動ギア６を駆動ギア５に噛み合わせた状態で逆転用入力ギア４側に移動させるに伴って、それらのギア４，６どうしが連動するように係合可能な逆転用係合部１２と、可動ギア６を回転軸芯Ｘ方向に往復移動させるギア移動手段１３とを設けて、可動ギア６を正転用入力ギア３と逆転用入力ギア４とに択一的に連動可能に設けてある。
【００１２】
前記ギア移動手段１３は、可動ギア６の外周側両端面を回転自在に挟み込む一対の挟持アーム１４を備えたフォーク部材１５にソレノイド１６の作動軸１７を連結して、制御装置（図外）から入力される制御信号に基づく作動軸１７の出退作動で、可動ギア６を正転用入力ギア３側又は逆転用入力ギア４側に移動させることができるように設けてある。
【００１３】
前記正転用係合部１１は、可動ギア６と正転用入力ギア３の互いに対向する端面に亘って、爪クラッチなどの噛み合いクラッチを設けて構成してあり、逆転用係合部１２も、可動ギア６と逆転用入力ギア４の互いに対向する端面に亘って、爪クラッチなどの噛み合いクラッチを設けて構成してある。
【００１４】
そして、図２に示すように、可動ギア６が正転用入力ギア３側に移動していて正転用係合部１１が係合し、搬送ローラ２が正転してシートＢが図中の矢印で示す順方向に挟持搬送されているときに、ソレノイド１６の作動で可動ギア６を逆転用入力ギア４側に移動させると、図３に示すように、正転用係合部１１の係合が解除されて逆転用係合部１２が係合し、逆転用入力ギア４が、可動ギア６と駆動ギア５とを介して、駆動回転部材に連動して、搬送ローラ２が逆転し、シートＢが図中の矢印で示す逆方向に挟持搬送される。
【００１５】
また、図３に示したように逆転用係合部１２が係合していて搬送ローラ２が逆転しているときに、ソレノイド１６の作動で可動ギア６を正転用入力ギア３側に移動させると、逆転用係合部１２の係合が解除されて正転用係合部１１が係合し、図２に示したように、正転用入力ギア３が、可動ギア６と駆動ギア５とを介して、駆動回転部材に連動して、搬送ローラ２が正転する。
【００１６】
〔その他の実施形態〕
１．本発明による画像形成装置におけるシート搬送機構は、可動ギアを、正転用入力ギアと逆転用入力ギアのいずれにも連動しないニュートラル状態に保持できるように、ギア移動手段を設けてあっても良い。
２．本発明による画像形成装置におけるシート搬送機構は、両面印刷用のスイッチバック機能だけでなく、画像を印刷した後のシートを、画像印刷面が所定の向きになるように排出トレイなどに送り出すためのスイッチバック機能を備えさせるために設けてあっても良い。
【図面の簡単な説明】
【００１７】
【図１】シート搬送機構の斜視図
【図２】正転状態を示す平面図
【図３】逆転状態を示す平面図
【符号の説明】
【００１８】
２  搬送ローラ
３  正転用入力ギア
４  逆転用入力ギア
５  駆動ギア
６  可動ギア
１１  正転用係合部
１２  逆転用係合部
１３  ギア移動手段
Ｂ  シート
Ｘ  回転軸芯
【図１】
2006036460.tif 000003
【図２】
2006036460.tif 000004
【図３】
2006036460.tif 000005